(57)【要約】【課題】入力電圧の状態に応じて「入力電圧が無くなった」、「入力電圧が復帰した」、「起動中である」などのイレギュラーな（非定常的な）状態でも電子機器を安定な状態に保つとともに消費電力も低く保つように動作する電源供給装置を提供する。【解決手段】  交流電源（１）を入力とする主電源（２）の出力（Ｄ２）が、リセットパルス生成回路（３）、蓄電回路（７）、及び負荷回路（６）に入力される。リセットパルス生成回路（３）の出力がスイッチ回路（４）を介して制御回路（５）にリセット信号として入力される。制御回路（５）は、蓄電回路（７）の出力（Ｄ７）を電源電圧とし、主電源（２）の出力状態を検出し、パワーオンオフ制御信号（Ｄ８）に応じて主電源（２）及びスイッチ回路（４）を制御する。【選択図】図１
2014230379.tif 000002
【特許請求の範囲】
【請求項１】
交流電源に接続されて直流電圧を負荷に出力する主電源と、
前記主電源の出力に接続されて、前記主電源の出力が立ち上がったときに、リセットパルスを生成するリセットパルス生成回路と、
前記主電源の出力に接続されて蓄電する蓄電回路と、
スイッチ回路と、
前記蓄電回路の出力を電源電圧として受け、前記リセットパルス生成回路の出力を、前記スイッチ回路を介してそのリセット入力として受けて初期化される制御回路とを有し、
前記制御回路は、パワーオンオフ信号入力手段から出力されるパワーオンオフ制御信号を受けるように接続され、
前記制御回路は、前記主電源の出力の状態及び前記パワーオンオフ信号入力手段からのパワーオンオフ制御信号に基づいて、前記主電源を制御するための主電源制御信号と、前記スイッチ回路を制御するためのリセット禁止信号とを出力し、
前記主電源は、前記主電源制御信号によって制御されて、前記主電源制御信号が第１の状態にあるときに前記直流電圧を出力するオン状態となり、前記主電源制御信号が第２の状態にあるときに、前記直流電圧を出力しないオフ状態になり、
前記スイッチ回路は、前記リセット禁止信号によって制御されて、前記リセット禁止信号が第１の状態にあるときに、前記リセットパルス生成回路から出力されたリセットパルスを前記制御回路に伝える伝達状態になり、前記リセット禁止信号が第２の状態にあるときに前記リセットパルス生成回路から出力されたリセットパルスを前記制御回路に伝えない遮断状態になる
ことを特徴とする電源供給装置。
【請求項２】
前記主電源がオフ状態にあり、
前記パワーオンオフ入力手段から前記制御回路にパワーオンを要求するパワーオンオフ制御信号が入力されたときに、
前記制御回路は、前記主電源制御信号を前記第１の状態にし、前記リセット禁止信号を前記第２の状態にする
ことを特徴とする請求項１に記載の電源供給装置。
【請求項３】
前記制御回路は、
前記主電源制御信号を前記第１の状態にした状態での前記主電源の出力の状態の判定の結果に基づいて前記交流電源が停電状態か否かを判定する
ことを特徴とする請求項２に記載の電源供給装置。
【請求項４】
前記制御回路は、前記主電源制御信号を前記第１の状態にした状態において、前記主電源の出力が予め定められた閾値よりも低ければ前記交流電源が停電状態であると判定することを特徴とする請求項３に記載の電源供給装置。
【請求項５】
前記制御回路は、前記パワーオンを要求するパワーオンオフ制御信号が入力されて、前記主電源制御信号を前記第１の状態にして前記主電源の出力を立ち上げるときに、
前記主電源の出力が立ち上がりに応じて前記リセットパルス生成回路が前記リセットパルスを出力している間、前記リセット禁止信号を前記第２の状態にする
ことを特徴とする請求項１乃至４のいずれかに記載の電源供給装置。
【請求項６】
前記制御回路は、
前記パワーオンを要求するパワーオンオフ制御信号が入力されて、前記主電源制御信号を前記第１の状態にして前記主電源の出力を立ち上げるときに、前記リセット禁止信号を第２の状態にし、
前記リセットパルス生成回路によって生成される前記リセットパルスが立ち下がった後に、前記リセット禁止信号を前記第１の状態に戻す
ものを出力することを特徴とする請求項５に記載の電源供給装置。
【請求項７】
前記パワーオンを要求する前記パワーオンオフ制御信号が入力されたとき、
前記制御回路は、前記リセット禁止信号を、予め定められた時間、前記第２の状態にすることを特徴とする請求項１乃至６のいずれかに記載の電源供給装置。
【請求項８】
前記制御回路が、
前記リセット禁止信号を前記第２の状態に維持する時間が前記制御回路によって調整可能である
ことを特徴とする請求項７に記載の電源供給装置。
【請求項９】
前記制御回路が、前記リセットパルス生成回路が生成した前記リセットパルスを、前記スイッチ回路を介して受けるのみならず、前記スイッチ回路を介さずに受けることができるように接続され、
前記制御回路は、前記リセットパルス生成回路から前記スイッチ回路を介さずに入力された前記リセットパルスの立下りを検出して、該立下りに応じて、前記リセット禁止信号を前記第１の状態に戻す
ことを特徴とする請求項１又は２に記載の電源供給装置。
【請求項１０】
前記制御回路は、前記パワーオンを要求するパワーオンオフ制御信号に応じて前記主電源制御信号を前記第１の状態にし、それに応じて前記リセットパルスが立上がるか否かに基づいて前記交流電源が停電状態か否かの判定を行う
ことを特徴とする請求項９に記載の電源供給装置。
【請求項１１】
外部の情報を取得してその結果を出力する外部情報回路が前記制御回路に接続され、
前記制御回路は、前記外部情報回路の出力に基づいて前記主電源制御信号を前記第１の状態にするか前記第２の状態にするかの制御、及び前記リセット禁止信号を前記第１の状態にするか前記第２の状態にするかの制御を行う
ことを特徴とする請求項１乃至１０のいずれかに記載の電源供給装置。
【請求項１２】
前記主電源制御信号の前記第１の状態は、Ｌレベルの状態であり、
前記第２の状態は、Ｈレベルの状態であることを特徴とする
請求項１乃至１１のいずれかに記載の電源供給装置。
【請求項１３】
前記リセット禁止信号の前記第１の状態はＬレベルの状態であり、
前記第２の状態はＨレベルの状態であることを特徴とする
請求項１乃至１２のいずれかに記載の電源供給装置。
【請求項１４】
請求項１乃至１３のいずれかに記載の電源供給装置と、前記負荷回路とを備え、
前記負荷回路が映像を表示するための処理を行なうものである
ことを特徴とする映像表示装置。
【発明の詳細な説明】
【技術分野】
【０００１】
本発明は、負荷回路に電源電圧を供給するための電源供給装置、並びにそのような電源供給装置を備えた映像表示装置に関する。
【背景技術】
【０００２】
電源供給装置は、負荷回路の状態に応じて、通常の動作時に負荷回路での消費電力を含めて、消費電力を少なくするように動作すると共に、「入力電圧が無くなった」、「入力電圧が復帰した」、「起動中である」などのイレギュラーな（非定常的な）状態でも負荷回路としての電子機器を安定な状態に保つととともに消費電力も低く保つように動作する必要がある。
【０００３】
特許文献１には、バックアップされた電源電圧が十分であるときは、交流電源をラッチングリレーによって切断し、それによりスイッチをオン状態又はオフ状態に保つのに必要な電力を削減して低消費電力化を図ることが開示されている。しかしその制御回路はバックアップ機能がある安定した電源の電圧を検出しており、交流電源からの入力の有無を示す情報を得ておらず、停電などのイレギュラーな事態に対して安定に処理することが想定されていない。例えば交流電源からの入力がない状態（例えば停電状態）でも、バックアップ電圧レベルが十分であれば、パワーオン命令を受信すると装置が通常の動作をすることができないにも拘わらず起動しようとして制御回路は上記のラッチングリレーをオン状態にし、その他の処理も、起動状態を維持しようとしてしまう。その結果、メイン回路へ無意味なアクセスを続けてバックアップ電力を無駄に消費してしまう。さらに制御回路は、交流電源からの入力がないことも分からないまま、リモコン操作に応じた信号が入力されるたびに、制御処理しようとすることでバックアップ電力をさらに無駄に消費してしまう。
【０００４】
さらには停電のような非定常的な状態から回復したときに制御処理がリセットされるような構成になっていない。このため長時間停電が続き、バックアップ電源が枯渇して、制御回路が制御動作中に動作停止をした後、停電復帰したときに、制御処理が確実に安定的に回復することができない。
【先行技術文献】
【特許文献】
【０００５】
【特許文献１】特許第３４７１２８３号（第５頁、第１０頁、図１、図１５、図１６、図１７）
【発明の概要】
【発明が解決しようとする課題】
【０００６】
以上のように、従来の装置は、イレギュラーな状態において安定にかつ低消費電力で動作することが想定された構成になっていない。
本発明の目的は、イレギュラーな状態でも電子機器を安定に低消費電力の状態に保つことができる電源供給装置を実現することである。
【課題を解決するための手段】
【０００７】
本発明の電源供給装置は、
交流電源に接続されて直流電圧を負荷に出力する主電源と、
前記主電源の出力に接続されて、前記主電源の出力が立ち上がったときに、リセットパルスを生成するリセットパルス生成回路と、
前記主電源の出力に接続されて蓄電する蓄電回路と、
スイッチ回路と、
前記蓄電回路の出力を電源電圧として受け、前記リセットパルス生成回路の出力を、前記スイッチ回路を介してそのリセット入力として受けて初期化される制御回路とを有し、
前記制御回路は、パワーオンオフ信号入力手段から出力されるパワーオンオフ制御信号を受けるように接続され、
前記制御回路は、前記主電源の出力の状態及び前記パワーオンオフ信号入力手段からのパワーオンオフ制御信号に基づいて、前記主電源を制御するための主電源制御信号と、前記スイッチ回路を制御するためのリセット禁止信号とを出力し、
前記主電源は、前記主電源制御信号によって制御されて、前記主電源制御信号が第１の状態にあるときに前記直流電圧を出力するオン状態となり、前記主電源制御信号が第２の状態にあるときに、前記直流電圧を出力しないオフ状態になり、
前記スイッチ回路は、前記リセット禁止信号によって制御されて、前記リセット禁止信号が第１の状態にあるときに、前記リセットパルス生成回路から出力されたリセットパルスを前記制御回路に伝える伝達状態になり、前記リセット禁止信号が第２の状態にあるときに前記リセットパルス生成回路から出力されたリセットパルスを前記制御回路に伝えない遮断状態になることを特徴とする。
【発明の効果】
【０００８】
本発明によれば、「入力電圧が復帰した（停電状態から復帰した）」、「起動中である」などのイレギュラー（非定常的）な状態でも安定に動作することができるとともに、状況に応じて電力消費を低く抑えることができるという効果がある。
【図面の簡単な説明】
【０００９】
【図１】本発明の実施の形態１の電源供給装置を示すブロック図である。
【図２】実施の形態１に係るスイッチ回路の別の接続形態例を示すブロック図である。
【図３】交流電圧が入力されたときの、実施の形態１の装置の各部の動作を示すタイミング図である。
【図４】実施の形態１の電源供給装置の変形例を示すブロック図である。
【図５】停電が発生したときの、実施の形態１の装置の各部の動作を示すタイミング図である。
【図６】停電でない状態において蓄電回路が放電したときの、実施の形態１の装置の各部の動作を示すタイミング図である。
【図７】実施の形態１の電源供給装置の他の変形例を示すブロック図である。
【図８】停電状態において蓄電回路が放電したときの、実施の形態１の装置の各部の動作を示すタイミング図である。
【図９】パワーオフを要求するパワーオンオフ制御信号に入力されたときの、実施の形態１の装置の各部の動作を示すタイミング図である。
【図１０】停電でない状態においてパワーオンを要求するパワーオンオフ制御信号が入力されたときの、実施の形態１の装置の各部の動作を示すタイミング図である。
【図１１】停電状態においてパワーオンを要求するパワーオンオフ制御信号が入力されたときの、実施の形態１の装置の各部の動作を示すタイミング図である。
【図１２】主電源がオフ状態にあるときに始まる制御回路の動作を示すフローチャートである。
【図１３】主電源がオン状態にあるときに始まる制御回路の動作を示すフローチャートである。
【図１４】本発明の実施の形態２の電源供給装置を示すブロック図である。
【図１５】本発明の実施の形態３の電源供給装置を示すブロック図である。
【図１６】外部情報回路の出力が変化したときの、実施の形態３の装置の各部の動作を示すタイミング図である。
【図１７】本発明の実施の形態４の映像表示装置を示すブロック図である。
【発明を実施するための形態】
【００１０】
実施の形態１．
図１は、本発明の実施の形態１の電源供給装置を示す。
図１に示す電源供給装置においては、交流電源例えば商用電源１からの交流電圧Ｄ１が主電源２に入力される。主電源２は、交流電圧を変圧し、整流し、平滑化して直流電圧Ｄ２を出力する。
主電源２の出力端子は、負荷回路６、リセットパルス生成回路３、及び蓄電回路７の入力端子に接続されるとともに、制御回路５の電圧検出端子５ｖに接続されている。
主電源２から出力された直流電圧Ｄ２は接続線２１を介して負荷回路６にその電源電圧として供給される。主電源２の出力Ｄ２はまた、リセットパルス生成回路３及び蓄電回路７に供給され、さらに制御回路５の電圧検出端子５ｖに供給される。
【００１１】
リセットパルス生成回路３は、主電源２の出力Ｄ２が立ち上がった際に、リセットパルスＳｒを生成し、その出力信号Ｄ３として出力する。
リセットパルス生成回路３の出力端子はスイッチ回路４の入力端子に接続されている。スイッチ回路４の出力端子は制御回路５のリセット入力端子５ｒに接続されている。
【００１２】
スイッチ回路４は、制御回路５のリセットを許可し又は禁止するために設けられたものであり、リセットパルス生成回路３から出力されたリセットパルス信号Ｓｒを制御回路５のリセット入力端子５ｒに伝達し又は遮断する。
【００１３】
スイッチ回路４がオン状態（閉路状態乃至導通状態）にあるときは、リセットパルス生成回路３の出力Ｄ３がそのまま、スイッチ回路４の出力Ｄ４となる。即ち、リセットパルス生成回路３がその出力Ｄ３としてリセットパルスＳｒを出力すると、そのリセットパルスＳｒがそのままスイッチ回路４の出力Ｄ４となって、制御回路５に伝達される。この状態を、スイッチ回路４の伝達状態、或いは制御回路５のリセットを許可する状態とも言う。
【００１４】
一方スイッチ回路４がオフ状態（開路状態乃至非導通状態）にあるときは、リセットパルス生成回路３の出力Ｄ３は伝達されない（遮断される）。即ちスイッチ回路４の出力Ｄ４は、スイッチ回路４の入力Ｄ３の如何に拘わらず、Ｌ（Ｌレベル）を維持し、制御回路５のリセットが禁止される。この状態を、スイッチ回路４の遮断状態、或いは制御回路５のリセットを禁止する状態とも言う。
【００１５】
蓄電回路７は、主電源２から直流電圧が供給されている間に電力を蓄積し（充電され）、主電源２から直流電圧Ｄ２が供給されていないときは、蓄積した電力を外部に放出する（放電される）補助電源として作用する。
蓄電回路７の出力端子は制御回路５の電源入力端子５ｐに接続され、蓄電回路７の出力電圧Ｄ７が制御回路５に、電源電圧として入力される。
【００１６】
制御回路５は、例えばマイコンで形成され、蓄電回路７の出力電圧Ｄ７を電源電圧として受けるのみならず、該電圧Ｄ７が予め定められた閾値Ｖａ以上か閾値Ｖａよりも低いか（Ｈ即ち「有る」か、それともＬ即ち「無い」か）の判定を行う。
制御回路５は、蓄電回路７から電源電圧Ｄ７の供給を受けている状態で、リセット入力端子５ｒにリセットパルスＳｒを供給されると、初期化される。
制御回路５は、初期化によって制御のためのソフトウェアを起動し、制御状態になり、上記のように、蓄電回路７の出力電圧Ｄ７が閾値Ｖａ以上か否かの判定を行うのみならず、電圧検出端子５ｖに印加されている直流電圧Ｄ２が予め定められた閾値Ｖｔ以上か閾値Ｖｔよりも低いか（Ｈ即ち「有る」か、それともＬ即ち「無い」か）の判定、並びに主電源２及びスイッチ回路４の制御を行う。
制御回路５は、主電源２及びスイッチ回路４の制御のため、主電源制御信号Ｄ５ａ及びリセット禁止信号Ｄ５ｂを出力する。
【００１７】
制御回路５から出力される主電源制御信号Ｄ５ａは主電源２に入力される。
主電源２は、主電源制御信号Ｄ５ａが第１の状態、例えばＬ（Ｌレベル）のとき（出力されていないとき）に動作状態（オン状態）となり、主電源制御信号Ｄ５ａが第２の状態、例えばＨ（Ｈレベル）のとき（出力されているとき）に、停止状態（オフ状態）となる。商用電源１から交流電圧が供給されていれば、主電源２が動作状態になると、主電源２からは直流電圧Ｄ２が出力される。
【００１８】
制御回路５から出力されるリセット禁止信号Ｄ５ｂはスイッチ回路４に入力される。
スイッチ回路４は、リセット禁止信号Ｄ５ｂが第１の状態、例えばＬ（Ｌレベル）のとき（出力されていないとき）に閉路状態（従って伝達状態）となり、リセット禁止信号Ｄ５ｂが第２の状態、例えばＨ（Ｈレベル）のとき（出力されているとき）に、開路状態（従って遮断状態）となる。スイッチ回路４が伝達状態にあるときは、リセットパルス生成回路３の出力Ｄ３がそのままスイッチ回路４の出力Ｄ４となり、スイッチ回路４が遮断状態にあるときは、リセットパルス生成回路３の出力Ｄ３がＨであっても、スイッチ回路４の出力Ｄ４はＬを維持する。
【００１９】
制御回路５の制御入力端子５ｃにはパワーオンオフ信号入力手段８が接続され、パワーオンオフ信号入力手段８からのパワーオンオフ制御信号Ｄ８が入力されるようになっている。
パワーオンオフ制御信号Ｄ８は、主電源２の出力電圧Ｄ２がＬ即ち「無い」ときに入力されると、パワーオンを指示乃至要求するものとして扱われ、主電源２の出力電圧Ｄ２がＨ即ち「有る」ときに入力されると、パワーオンを指示乃至要求するものとして扱われる。
なお、パワーオンを要求するパワーオンオフ制御信号と、パワーオフを要求するパワーオンオフ制御信号とが異なる内容のものであっても良い。
【００２０】
以下では、主電源２の出力電圧Ｄ２がＨである状態を「パワーオン状態」と言い、主電源２の出力電圧Ｄ２がＬ、即ち閾値Ｖｔよりも低い状態を「パワーオフ状態」と言うことがある。
また、制御回路５が制御状態にあって、主電源制御信号Ｄ５ａをＬにしている状態を「パワーオン制御状態」と言い、制御回路５が制御状態にあって、主電源制御信号Ｄ５ａをＨにしている状態を「パワーオフ制御状態」と言う。
【００２１】
制御回路５が「制御状態」にあるとは、制御のためのソフトウェアが動作中であることを意味し、この状態では、「パワーオンオフ制御信号」が入力されると、これに応じた処理をする。
【００２２】
一方、「初期化」処理中、並びに後述の「パワーオンシーケンス」又は「パワーオフシーケンス」の実行中は、パワーオンオフ制御信号が入力されてもこれに応じた処理が行われない（無視される）。即ち、「初期化」処理中、「パワーオンシーケンス」実行中、及び「パワーオフシーケンス」実行中は、制御回路５は、「動作状態」にあるが、「制御状態」にはない。
【００２３】
図２はスイッチ回路の別の例を示す図である。
図１のスイッチ回路４は、リセットパルス生成回路３の出力端子と制御回路５のリセット入力端子５ｒの間に配置され、そのオン又はオフにより、リセットパルス信号Ｓｒの制御回路５への入力（伝達又は遮断）を制御しているが、図２のスイッチ回路４Ａは、リセットパルス生成回路３と制御回路５とを接続する信号線３１とグランド（接地ノード）との間に配置され、スイッチ回路４Ａのオフ又はオンにより、リセットパルス信号Ｓｒの制御回路５への入力（伝達又は遮断）を制御している。即ち、スイッチ回路４Ａがオン状態（閉路乃至導通状態）になったときは、信号線３１をグランドに接続し（信号線３１をプルダウンし）、これにより、リセットパルス信号Ｓｒの制御回路５への入力を禁止し、一方、スイッチ回路４Ａがオフ状態（開路乃至非導通状態）になったときは、信号線３１をグランドに接続せず（信号線３１をグランドから切り離し）、これにより、リセットパルス信号Ｓｒの制御回路５への入力を許可する。
【００２４】
図２に示されるスイッチ回路４ＡをＮＰＮトランジスタ又はＮチャネルＭＯＳＦＥＴを使って構成し、制御回路５からのリセット禁止信号Ｄ５ｂがＮＰＮトランジスタのベース又はＮチャネルＭＯＳＦＥＴのゲートに印加されるようにすれば、リセット禁止信号Ｄ５ｂがＬ（出力されていない状態）のときにスイッチ回路４Ａは非導通状態でリセットパルス信号Ｓｒが制御回路５に入力され（伝達され）、リセット禁止信号Ｄ５ｂがＨ（出力されている状態）のときにスイッチ回路４Ａが導通状態でリセットパルス信号Ｓｒが制御回路５に入力されない（伝達されない）。
【００２５】
蓄電回路７が充電されておらず、制御回路５が動作停止の状態（電源供給装置（或いは電源供給装置を備えた電子機器）が製造業者から出荷された状態、或いは、停電が継続して完全に放電した状態）では、リセット禁止信号Ｄ５ｂはＬであるが、このような状態で、電源供給装置（又は電源供給装置を備えた電子機器）に交流電圧Ｄ１の供給が開始されると（出荷後初めて商用電源１に接続されるとき、或いは、長時間の停電後、電源が回復したとき）、動作の開始時にリセット禁止信号Ｄ５ｂがＬであるため、確実に制御回路５を初期化して安定動作させることができる。
【００２６】
なお、図１のスイッチ回路４も、リセット禁止信号Ｄ５ｂがＬのときにオン状態となるように構成することができる。例えば、ＰチャンネルＭＯＳＦＥＴのソース・ドレインの一方をリセットパルス生成回路３の出力端子に接続し、他方を制御回路５のリセット入力端子５ｒに接続し、ゲートにリセット禁止信号Ｄ５ｂが印加されるように接続すれば良い。
【００２７】
制御回路５は一般的に制御の開始時、終了時、非定常的な状態からの復帰時などの制御の節目でリセットすることで安定動作させている。
【００２８】
制御回路５を安定動作させるためには、交流電圧Ｄ１の入力の有無を検出して、停電のような非定常的な状態が発生しているか否かを判定することが重要である。そのために、主電源２の入力側（一次側）において交流電圧Ｄ１の有無を直接検出することが考えられる。しかしワールドワイド対応の電源供給装置の場合には、高電圧地域（例えば２４０Ｖ）と低電圧地域（例えば１００Ｖ）とで検出レベル差が大きく、高電圧地域と低電圧地域の双方で適切に動作する検出回路を構成することは難しい。さらに一次側の検出結果を二次側へ伝送するように構成するための回路も必要であり、部品点数が多い。
【００２９】
しかも交流電圧Ｄ１が入力される主電源２の一次側の入力部は、瞬間停電などの外的変化に対応するために電圧変化を抑制するように、具体的には放電時間が長くなるように設計されていることが多く、交流電圧Ｄ１の入力がなくなって、主電源２が電圧出力動作を停止しているにも拘わらず、主電源２の入力部には電圧が残留しているので、主電源２の入力側の電圧を検出して制御回路５のリセット用信号を生成する回路を構成するのは困難である。
【００３０】
これらの問題を解決するために本発明の電源供給装置は、主電源２の出力に基づいて交流電圧Ｄ１の有無を判断するとともに、リセットパルス生成回路３が主電源２の出力に応じてリセットパルスＳｒを生成するように構成されている。
【００３１】
以下、図３、図５、図６、図８〜図１１を参照して、異なる状況での、電源供給装置の動作を説明する。
【００３２】
図３は、図１の電源供給装置において、蓄電回路７が充電されていない状態で交流電圧Ｄ１が入力されたとき、即ち図１の電源供給装置（或いは図１の電源供給装置を備えた電子機器）を製造業者から入手した後初めて商用電源１に接続したとき、或いは商用電源１が長時間停電し、蓄電回路７が完全に（制御回路５が動作停止するレベルに）放電した状態で、商用電源１が復帰したときの各部の動作を示す。
【００３３】
図３で期間Ｐａにおいては、交流電圧Ｄ１が供給されておらず、制御回路５には蓄電回路７から電源電圧Ｄ７が入力されていないため、制御回路５は停止状態にあり、制御回路５から主電源２に供給される主電源制御信号Ｄ５ａはＬである。
その状態で、時刻ｔ１１に、交流電圧Ｄ１が入力される。図３（並びに後述の同様のタイミング図）では交流電圧Ｄ１についてはその振幅を示している。従って交流電圧Ｄ１についてのＬ、Ｈは、その振幅が小さいか大きいかを意味する。
【００３４】
主電源２は、交流電圧Ｄ１の入力（ｔ１１）から時間ｔａだけ遅延して直流電圧Ｄ２を出力する。遅延時間ｔａは主電源２の特性によって異なり、また個々の製品間でばらつきがある。
【００３５】
図３では、パワーオンオフ信号入力手段８からのパワーオンオフ制御信号Ｄ８はＬであるものとしている。
なお、蓄電回路７の出力電圧Ｄ７がＬであるときは、制御回路５は停止状態にあり、このときは、パワーオンオフ制御信号Ｄ８が入力されても、制御回路５はこれに応じた処理をすることができない。
また、パワーオンオフ制御信号Ｄ８が入力されている状態で交流電圧Ｄ１が入力される場合もあるが、その場合も、制御回路５は、制御状態となるまで（制御のためのソフトウェアが動作を開始するまで）は、パワーオンオフ制御信号Ｄ８に応じた処理をすることができず、入力されたパワーオンオフ制御信号Ｄ８は無視されることになる。具体的には、電源電圧Ｄ７がＨになっても制御回路５は、初期化処理中は、パワーオンオフ制御信号Ｄ８が入力されてもこれを無視する。また、後述のパワーオンシーケンス実行中、及びパワーオフシーケンス実行中も、入力されたパワーオンオフ制御信号Ｄ８は無視される。
【００３６】
直流電圧Ｄ２がＬからＨへ立ち上がると、リセットパルス生成回路３はリセットパルスＳｒを生成して出力し、出力されたリセットパルスＳｒはスイッチ回路４に入力される。
【００３７】
この時点でも制御回路５は初期化されておらず、制御状態にはないため、制御回路５からスイッチ回路４に入力されるリセット禁止信号Ｄ５ｂはＬである。
【００３８】
スイッチ回路４は、リセット禁止信号Ｄ５ｂがＬのときオン状態を保つように動作する。従って、リセットパルスＳｒがスイッチ回路４の出力側に現れ、制御回路５にリセットパルスＳｒが入力される。
【００３９】
交流電圧Ｄ１の入力により直流電圧Ｄ２がＨになると、蓄電回路７は充電されて制御回路５へ電源電圧Ｄ７を供給する。
【００４０】
制御回路５は蓄電回路７から電源電圧Ｄ７を供給されたとき、リセットパルス信号Ｓｒが入力されており、初期化（リセット）動作を開始する。
【００４１】
負荷回路６は、直流電圧Ｄ２がＨになって、電源電圧として入力されると動作を開始する。
【００４２】
制御回路５は初期化（リセット）動作が終了すると、パワーオン制御状態へ移行し、主電源２の出力の状態を監視し、直流電圧Ｄ２が閾値Ｖｔ以上である（直流電圧Ｄ２がＨである）ことを確認し、パワーオン制御状態を継続する。
【００４３】
このように蓄電回路７の電圧が低い状態（充電されていない状態）において交流電圧Ｄ１が入力されたとき（初めて商用電源１に接続したとき、或いは長時間の停電から復帰したとき）には必ず制御回路５が初期化されるため、確実に安定した動作を開始することができる。
【００４４】
なお、図４に示すように、直流電圧Ｄ２の制御回路５への入力側に直流電圧Ｄ２を判定する判定回路１５を挿入し、判定回路１５による判定の結果Ｄ１５を制御回路５の判定結果入力端子５ｊに入力し、この入力に応じて制御回路５が初期化を行うように構成しても同様な効果を得ることができる。
【００４５】
図５は、停電が発生した状態における、図１の装置の各部の動作を示す。
図５で、停電発生前の期間Ｐｂにおいては、交流電圧Ｄ１が入力されている。また、制御回路５は、パワーオン制御状態にあり、制御回路５からの主電源制御信号Ｄ５ａはＬを維持し、主電源２が直流電圧Ｄ２を出力している。
【００４６】
パワーオンオフ制御信号Ｄ８は入力されていない。
主電源２の出力Ｄ２はＨを維持しており、従ってＬからＨへの立ち上がりが生じないため、リセットパルス生成回路３もリセットパルスＳｒを出力しない。
制御回路５からのスイッチ回路４へ供給されるリセット禁止信号Ｄ５ｂはＬに維持され、スイッチ回路４はオン状態を保つが、リセットパルスＳｒが入力されないので、スイッチ回路４の出力側からもリセットパルスＳｒは出力されない。
【００４７】
時刻ｔ１２に停電が発生すると、交流電圧Ｄ１はＨからＬに低下する。その結果主電源２も停止してその出力Ｄ２がＨからＬに低下する。
【００４８】
制御回路５は電圧検出端子５ｖに入力される直流電圧Ｄ２が低下した（閾値Ｖｔよりも低くなった）ことを検知して、停電状態と判断して、停電からの復帰を待機する制御状態（「停電検出、復帰待機」の制御状態）に移行する。
この状態では、主電源制御信号Ｄ５ａがＬを維持し、これにより停電からの復帰時に直流電圧Ｄ２が直ちに出力される（Ｈになる）ようにするとともに、リセット禁止信号Ｄ５ｂもＬを維持して、これによりスイッチ回路４をオン状態に維持する。
【００４９】
蓄電回路７の出力Ｄ７は直流電圧Ｄ２がなくなった（Ｌになったった）ことから、放電により少しずつ低下する。
なお、制御回路５は蓄電回路７の出力Ｄ７の低下が進んで制御できない程度までになると停止状態になるが、主電源制御信号Ｄ５ａもリセット禁止信号Ｄ５ｂもＨではなくてＬなので、蓄電回路７から電圧Ｄ７が供給されなくなっても、これらの制御信号Ｄ５ａ、Ｄ５ｂ(これらの制御信号を伝える信号線の電位)はＬに維持される。
【００５０】
蓄電回路７の出力Ｄ７が低下して制御回路５が停止した状態で停電から復帰するときは、この電源供給装置は図３と同様の動作で起動して、制御回路５はリセットパルスＳｒにて初期化されてパワーオン制御状態に移行し安定状態が確保される。
【００５１】
また蓄電回路７の出力Ｄ７が完全に低下しておらず、「停電検出、復帰待機」の制御状態であるときに停電から復帰してパワーオン制御状態に移行する場合も、制御回路５はリセットパルスＳｒにて初期化されるため安定状態が確保される。
【００５２】
図６は、停電でない環境において、蓄電回路７の出力電圧Ｄ７の低下に応じて行われる処理を示す。
停電ではない状態であるので、交流電圧Ｄ１は異常なく入力され続けている。図６の期間Ｐｃでは制御回路５がパワーオフ制御状態にあり、主電源制御信号Ｄ５ａがＨであり、主電源２がオフ状態であるので、蓄電回路７の放電が続き、その出力電圧Ｄ７が徐々に低下する。
【００５３】
図６の期間Ｐｃの状態になるのは、制御回路５が以前にパワーオン制御状態になった後、パワーオフを要求するパワーオンオフ制御信号Ｄ８によりパワーオフ制御状態に移行した場合である。
【００５４】
制御回路５は、上記のように、蓄電回路７から入力されている電源電圧Ｄ７のレベルを判定するように構成されており、蓄電回路７の出力電圧Ｄ７が閾値Ｖａまで低下したとき（時刻ｔ１３）、制御回路５はそのことを検出して主電源制御信号Ｄ５ａをＨからＬに立ち下げ、主電源２を起動させる。
主電源２は主電源制御信号Ｄ５ａがＨからＬに立ち下げられたことを受けて、起動して、予め定められた遅延時間ｔｂの経過後に直流電圧Ｄ２が立ち上がる。
【００５５】
主電源２の出力Ｄ２がＬからＨに立ち上がることでリセットパルス生成回路３によってリセットパルスＳｒが生成される。リセット禁止信号Ｄ５ｂはＬのままであり、リセットパルスＳｒは制御回路５に入力されて、制御回路５は初期化される。
制御回路５は初期化（リセット）動作が終了すると、パワーオン制御状態へ移行し、主電源２の出力Ｄ２の状態を確認し、直流電圧Ｄ２がＨ、即ち閾値Ｖｔ以上であるときは、停電状態ではないと判断してパワーオン制御状態を継続する。
【００５６】
このように蓄電回路７の放電が進行しても制御回路５が制御不能になる前に主電源２をオン状態にして蓄電回路７を充電できるように動作させることができる。しかも必ず制御回路５が初期化されるため、確実に安定した動作を継続することができる。
【００５７】
さらに図１の回路に対する変形として、図７に示すように負荷回路６と主電源２の間に第２のスイッチ回路（負荷給電制御のためのスイッチ回路）１４を挿入し、制御回路５の負荷給電制御信号Ｄ５ｃによりスイッチ回路１４をオンオフし、主電源２の出力Ｄ２を第２のスイッチ回路１４を介して負荷回路６に供給するようにしても良い。
このようにすれば、上記の初期化の後、メイン電源制御信号Ｄ５ａをＬにして主電源２をオン状態にする一方、負荷給電制御信号Ｄ５ｃをＨにして負荷回路６をパワーオフ状態（給電されない状態）にすることができる。このようにすることで、電力消費を削減することができる。
なお、負荷回路６を複数の部分に分け、それぞれの部分ごとに負荷給電スイッチ回路（各々負荷給電スイッチ回路１４と同様のもの）を設けて、制御回路５がそれぞれの負荷給電スイッチ回路に対してそれぞれ別個の制御信号を発生するようにしても良い。
【００５８】
図７の構成では、主電源２の出力を第２のスイッチ回路１４に伝える接続線２２、第２のスイッチ回路１４、及び第２のスイッチ回路１４の出力を負荷に伝える接続線２３が、主電源２の出力を負荷回路６に供給する手段を構成する。
【００５９】
図８は停電環境において蓄電回路７が放電した（蓄電回路７の出力電圧Ｄ７が閾値Ｖａよりも低くなった）ことを検出して行われる処理の際の、各部の動作を示す。
【００６０】
商用電源１が停電状態にあると交流電圧Ｄ１はＬである。図８の期間Ｐｄでは、主電源２がオフ状態であるので、蓄電回路７の放電が続き、その出力電圧Ｄ７が徐々に低下する。制御回路５は制御状態にあり、主電源制御信号Ｄ５ａはＬ又はＨである。図８の期間Ｐｄの状態になるのは、制御回路５が以前にパワーオン制御状態になった後、
（Ａ）  図５のように停電状態になって、「停電検出、復帰待機」の制御状態になった場合、あるいは
（Ｂ）  後述の図９のようにパワーオフを要求するパワーオンオフ制御信号Ｄ８によってパワーオフ制御状態に移行した場合
である。
【００６１】
上記（Ａ）の場合には主電源制御信号Ｄ５ａはＬであり（図５参照）、上記（Ｂ）の場合には主電源制御信号Ｄ５ａはＨである（図９参照）。
【００６２】
制御回路５は、上記のように、蓄電回路７から入力されている電源電圧Ｄ７のレベルを判定するように構成されており、蓄電回路７の出力電圧Ｄ７が閾値Ｖａまで低下したとき（時刻ｔ１４）、主電源制御信号Ｄ５ａをＬにする。即ち、上記（Ａ）の場合には主電源制御信号Ｄ５ａをＬに維持し、上記（Ｂ）の場合には主電源制御信号Ｄ５ａをＨからＬに立ち下げる。
【００６３】
いずれの場合にも、この処理の後、主電源制御信号Ｄ５ａはＬになるが、交流電圧Ｄ１が入力されていないため、主電源２は起動できず、直流電圧Ｄ２は立ち上がらない。
【００６４】
直流電圧Ｄ２が立ち上がらないことでリセットパルス生成回路３によるリセットパルスＳｒの生成も行われず、制御回路５は「停電検出、復帰待機」の制御状態に移行し（上記（Ｂ）の場合）、またはその状態を維持する（上記（Ａ）の場合）。
このようにすることで、制御回路５は蓄電回路７からの出力Ｄ７が閾値Ｖａよりもさらに低下して停止状態になるよりも前に、直流電圧Ｄ２が存在しないことを確認し、それに対応する処理を行う。即ち「停電検出、復帰待機」の状態に移行し、或いは該状態を維持する。
【００６５】
この状態で停電状態が終了し、その後交流電圧Ｄ１が入力されると本電源供給装置は図３に示すように動作する。このようにして、停電状態が長期間続いた状態から復帰したときには必ず制御回路５が初期化されて確実に安定した動作を開始することができる。
【００６６】
図９はパワーオフを要求するパワーオンオフ制御信号Ｄ８が入力されたときの、装置の各部の動作を示す。
【００６７】
交流電圧Ｄ１が入力されており、期間Ｐｅにおいては、制御回路５はパワーオン制御状態にある。パワーオンオフ制御信号Ｄ８が入力されると（時刻ｔ１５）、主電源２の出力Ｄ２がＨであるため、入力されたパワーオンオフ制御信号Ｄ８はパワーオフを要求するものとして扱われる。
パワーオフを要求するパワーオンオフ制御信号Ｄ８が入力されると、制御回路５はパワーオフシーケンスを開始し、パワーオフシーケンスの実行後に主電源制御信号Ｄ５ａをＬからＨに立ち上げて、主電源２を停止させる。主電源２が停止すると直流電圧Ｄ２がＨからＬに立ち下がり、制御回路５はパワーオフ制御状態に移行する。
この状態では、主電源２が停止し、制御回路５が蓄電回路７によって動作しているので消費電力が削減されるという効果がある。
【００６８】
図１０は、停電でない環境においてパワーオンを要求するパワーオンオフ制御信号Ｄ８が入力されたときの、各部の動作を示す。
【００６９】
商用電源１が停電状態にはなく、交流電圧Ｄ１が入力されている。図１０の期間Ｐｆにおいては、制御回路５はパワーオフ制御状態にあり、従って、主電源制御信号Ｄ５ａはＨである。従って、主電源２は停止しており（オフ状態にあり）、直流電圧Ｄ２はＬである。
【００７０】
主電源２がオフ状態であることから、この状態でパワーオンオフ制御信号Ｄ８が入力されると（時刻ｔ１６）、パワーオンを要求するものとして扱われる。
パワーオンを要求するパワーオンオフ制御信号Ｄ８が入力されると、制御回路５は、パワーオンシーケンスを開始し、リセット禁止信号Ｄ５ｂをＬからＨに立ち上げて、スイッチ回路４をオフ状態に設定し、その後主電源制御信号Ｄ５ａをＨからＬに立ち下げる。
【００７１】
図１０には、リセット禁止信号Ｄ５ｂを立ち上げた後、主電源制御信号Ｄ５ａをＬに立ち下げるまでの時間が符号ｔｃで示されている。この時間ｔｃは、パワーオンシーケンスの処理の進行に要する時間（パワーオンシーケンスを開始してから、シーケンスの一つのステップとして、主電源制御信号Ｄ５ａをＬに立ち下げるとの命令が発生されるまでの時間）であり、特別の遅延処理を行うことを必ずしも意味しない。
【００７２】
主電源２は主電源制御信号Ｄ５ａがＨからＬに立ち下がることによって起動し、遅延時間ｔｂの経過後、直流電圧Ｄ２がＬからＨに立ち上がる。直流電圧Ｄ２がＬからＨに立ち上がることで、リセットパルス生成回路３はリセットパルス信号Ｓｒを出力し、該リセットパルス信号Ｓｒは、スイッチ回路４に入力される。しかし、スイッチ回路４はオフ状態であるため、リセットパルス信号Ｓｒは制御回路５に入力されない。従って、制御回路５は初期化されずに済む。このため、制御回路５はパワーオンを要求するパワーオンオフ制御信号Ｄ８が入力されたことを示す情報を保持し、安定してパワーオンを要求するパワーオンオフ制御信号Ｄ８に応じた制御状態（パワーオン制御状態）に移行することができる。
【００７３】
また制御回路５はパワーオンシーケンスの実行中に主電源２の出力Ｄ２の状態を確認し（直流電圧有無に基づいて、停電か否かの判定を行い）、停電でないと判定した場合のみパワーオン制御状態に移行する動作が安定に行うことができる。
【００７４】
また図１０において、リセットパルスＳｒが立ち下がる前にリセット禁止信号Ｄ５ｂがＨからＬに立ち下がると、リセットパルスＳｒがスイッチ回路４から出力され、制御回路５に入力される。このため、制御回路５がパワーオン制御状態に移行する前に初期化を行うことになる。そのような事態を避けるために制御回路５は、リセットパルス生成回路３からのリセットパルスＳｒが立ち下がった後に、リセット禁止信号Ｄ５ｂをＨからＬに立ち下げ、スイッチ回路４をオン状態に戻す動作をすることとしている。
【００７５】
図１０ではリセットパルス生成回路３からのリセットパルスＳｒが立ち下がると予想される時点から時間間隔（余裕時間）ｔｄが経過した後にリセット禁止信号Ｄ５ｂをＨからＬに立ち下げるように制御回路５は動作している。具体的には、パワーオンオフ制御信号Ｄ８が入力されてから、（ｔｃ＋ｔｂ＋ｔｐ＋ｔｄ）時間経過後にリセット禁止信号Ｄ５ｂをＨからＬに立ち下げるように制御を行う。ここで、ｔｐは、リセットパルスＳｒのパルス幅（持続時間）の規定値乃至設計値である。代わりに、主電源制御信号Ｄ５ａをＨからＬに立ち下げてから、（ｔｂ＋ｔｐ＋ｔｄ）時間経過後にリセット禁止信号Ｄ５ｂをＨからＬに立ち下げるように制御を行うこととしても良い。
いずれにしても、主電源制御信号Ｄ５ａがＨからＬに立ち下がった後、主電源２が起動するまでの遅延時間ｔｂにばらつきがあることを考慮して、遅延時間のばらつきを吸収できる程度に時間間隔（余裕時間）ｔｄをあけることとしている。このようにすることで本電源供給装置は安定して動作する。
【００７６】
さらにリセットパルス生成回路３からのリセットパルスＳｒが立ち下がった後に、リセット禁止信号Ｄ５ｂをＨからＬに立ち下げるまでの時間（図１０のｔｄ）、或いは、前記パワーオンを要求するパワーオンオフ制御信号Ｄ８が入力されてから、リセット禁止信号Ｄ５ｂをＨからＬに立ち下げるまでの時間（図１０のｔｃ＋ｔｂ＋ｔｐ＋ｔｄ）、又は主電源制御信号Ｄ５ａをＨからＬに立ち下げてから、リセット禁止信号Ｄ５ｂを立ち下げるまでの時間（図１０のｔｂ＋ｔｐ＋ｔｄ）を制御回路５で調整可能とするのが望ましい。
そのようにしておけば、リセットパルスＳｒが立ち下がった直後に（或いは該立下りからできるだけ早く）リセット禁止信号Ｄ５ｂをＨからＬに立ち下げて、本電源供給装置を、パワーオン制御状態に移行させるようにすることができるからである。
このように構成すれば、ユーザーがパワーオンを要求するパワーオンオフ制御信号Ｄ８を入力した後、本電源供給装置がパワーオン制御状態に移行するまでの待ち時間を短くすることができる。
【００７７】
図１１は停電環境においてパワーオンを要求するパワーオンオフ制御信号Ｄ８が入力されたときの図１の装置の各部の動作を示す。
【００７８】
商用電源１が停電状態にあると、交流電圧Ｄ１はＬである。図１１の期間Ｐｇでは、主電源２がオフ状態であり、蓄電回路７の放電が続き、その出力電圧Ｄ７が徐々に低下する。制御回路５は制御状態にあり、主電源制御信号Ｄ５ａはＬ又はＨである。図１０の期間Ｐｆの状態になるのは、制御回路５が以前にパワーオン制御状態になった後、
（Ａ）  図５のように停電状態になって、「停電検出、復帰待機」の制御状態になった場合、あるいは
（Ｂ）  上記の図９のようにパワーオフを要求するパワーオンオフ制御信号Ｄ８によるパワーオフ制御状態に移行した場合
である。
【００７９】
上記（Ａ）の場合は主電源制御信号Ｄ５ａはＬであり（図５）、上記（Ｂ）の場合は主電源制御信号Ｄ５ａはＨである（図９）。
【００８０】
主電源２がオフ状態であるため、パワーオンオフ制御信号Ｄ８は、パワーオンを要求するものとして扱われる。制御回路５はパワーオンを要求するパワーオンオフ制御信号Ｄ８が入力されると（時刻ｔ１７）、パワーオンシーケンスを開始し、リセット禁止信号Ｄ５ｂをＬからＨに立ち上げて、スイッチ回路４をオフ状態（遮断状態）に設定し、その後、主電源制御信号Ｄ５ａをＬにする。即ち、上記（Ａ）の場合には主電源制御信号Ｄ５ａをＬに維持し、上記（Ｂ）の場合には、主電源制御信号Ｄ５ａをＨからＬに立ち下げる。
【００８１】
リセット禁止信号Ｄ５ｂは、パワーオンを要求するパワーオンオフ制御信号Ｄ８が入力されてから一定の時間（予め定められた時間）を経過するまでＨを維持する。この予め定められた時間は、図１０の場合と同様、上記の（ｔｃ＋ｔｂ＋ｔｐ＋ｔｄ）の時間である。代わりに、主電源制御信号Ｄ５ａを立ち下げてから、（ｔｂ＋ｔｐ＋ｔｄ）時間経過後にリセット禁止信号Ｄ５ｂを立ち下げることとしても良い。
【００８２】
図１１には、（図１０と同様）リセット禁止信号Ｄ５ｂを立ち上げた後、主電源制御信号Ｄ５ａをＬに立ち下げるまでの時間が符号ｔｃで示されている。この時間ｔｃは、パワーオンシーケンスの処理の進行に要する時間（パワーオンシーケンスを開始してから、シーケンスの一つのステップとして、主電源制御信号Ｄ５ａをＬに立ち下げるとの命令が発生されるまでの時間）であり、特別の遅延処理を行うことを必ずしも意味しない。
【００８３】
主電源制御信号Ｄ５ａをＬにしても、商用電源１が停電しているため、主電源２は起動しない。
【００８４】
制御回路５はパワーオンシーケンスの実行中に主電源２の出力Ｄ２の状態を確認し（直流電圧有無に基づく停電か否かの判定を行い）、主電源２が起動せず直流電圧Ｄ２が立ち上がっていないことを確認すると、停電状態であると判定して、「停電検出、復帰待機」の制御状態となる。
【００８５】
リセット禁止信号Ｄ５ｂはパワーオンシーケンスの実行中に停電状態として判定されても、パワーオンを要求するパワーオンオフ制御信号Ｄ８が入力されてから一定の時間（予め定められた時間）を経過するまでＨを維持する。
【００８６】
上記の予め定められた時間の経過後は、リセット禁止信号Ｄ５ｂはＨからＬに戻る。このようにＬに戻すことでスイッチ回路４をオン状態に復帰させて、停電状態からの復帰を待機する状態になる。スイッチ回路４がオン状態に復帰することで、次に停電が解除されたときには制御回路５にはリセットパルスＳｒが入力されて安定した初期状態で動作開始する効果がある。
【００８７】
次に、図６、図８、図１０、及び図１１を参照して説明した動作、即ち、主電源２がオフ状態にあるときに始まる制御回路５の動作を図１２のフローチャートを参照して説明する。
主電源２がオフ状態（パワーオフ制御状態又は「停電検出、復帰待機」の制御状態）においては、ルーチンＳＴ１００において、パワーオン要求のチェックと蓄電回路の出力電圧Ｄ７のチェックを周期的に行う。
この場合パワーオン要求のチェック（ＳＴ１０３）と蓄電回路７の出力電圧Ｄ７のチェック（ＳＴ１０４）とを異なる周期で行っても良い。図示の例では、パワーオン要求のチェックの周期（ＳＴ１０１のＴｏｎｃ）を、蓄電回路７の出力電圧Ｄ７のチェックの周期（ＳＴ１０２のＴｄ７ｃ）よりも短くしている。
【００８８】
パワーオン要求のチェック（ＳＴ１０３）では、パワーオンオフ制御信号Ｄ８が入力されたか否かを判定し、入力されていれば、パワーオン要求があったものと判断する。
パワーオン要求があった場合には（ＳＴ１０３でＹＥＳ）、図１０及び図１１に示すように、パワーオンシーケンスを実行する（ＳＴ１１１）。
【００８９】
パワーオンシーケンスの開始時にリセット禁止信号Ｄ５ｂを立ち上げ、その後、主電源制御信号Ｄ５ａをＬにし（それまでＨであればＬに遷移させ、それまでもＬであればＬを維持させ）、その後、予め定められた時間ｔｅの範囲内に電圧Ｄ２が立ち上がるか否かを監視し、監視の結果に基づく判定を行う。
上記の時間ｔｅは、主電源制御信号Ｄ５ａをＬにしてから主電源２の出力電圧Ｄ２が閾値Ｖｔ以上に立ち上がるのに要する時間よりも長くなるように設定される。即ち、上記の時間ｔｅの範囲は、もしも商用電源１が停電していなければ、主電源２の出力電圧Ｄ２が閾値Ｖｔ以上に立ち上がるタイミングを含むように設定される。
【００９０】
上記の時間ｔｅの範囲内に、電圧Ｄ２がＨ（閾値Ｖｔ以上）になったか否かの判定を行い（ＳＴ１１２）、Ｈになったことが確認された場合には、図１０に示すように、パワーオンシーケンスの完了後に、上記の確認結果に基づいて、パワーオン制御状態に移行する（ＳＴ１１４）。
【００９１】
上記の時間ｔｅ内に電圧Ｄ２がＨにならない場合（Ｈになったことが確認されなかった場合）、図１１に示すように、パワーオンシーケンスの完了後に、停電状態を確認し（ＳＴ１１３）、「停電検出、復帰待機」の制御状態に移行する（ＳＴ１１５）。なお、それ以前から「停電検出、復帰待機」の状態にあれば、その状態を維持する。その後、パワーオン要求のチェック及び電圧Ｄ７のチェックのルーチンＳＴ１００、例えばステップＳＴ１０２に戻る。
【００９２】
蓄電回路７の出力電圧Ｄ７のチェック（ＳＴ１０４）では、蓄電回路７の出力電圧Ｄ７を検出し、検出した電圧Ｄ７が閾値Ｖａ未満か否かの判定を行う。
【００９３】
電圧Ｄ７が閾値Ｖａ未満であれば（ＳＴ１０４でＹＥＳ）、ステップＳＴ１２１に進み、図６及び図８に示すように、主電源制御信号Ｄ５ａをＬにする（それまでＨであればＬに遷移させ、それまでもＬであればＬを維持させる）。
【００９４】
その後、上記の時間ｔｅの範囲内に主電源２の出力電圧Ｄ２がＨ（閾値Ｖｔ以上）になるか否か監視し、監視結果に基づく判定を行う（ＳＴ１２２）。
【００９５】
図６に示すように、上記の時間ｔｅの範囲内に、主電源２の出力電圧Ｄ２がＨになったら（ＳＴ１２２でＹＥＳ）、制御回路５は初期化を行い（ＳＴ１２３）、パワーオン制御状態に移行する（ＳＴ１１４）。
【００９６】
図８に示すように、上記の時間ｔｅの範囲内に、主電源２の出力電圧Ｄ２がＨにならない場合には（ＳＴ１２２でＮＯ）、パワーオン要求のチェック及び電圧Ｄ７のチェックのルーチンＳＴ１００、例えばステップＳＴ１０１に戻る。
【００９７】
次に図５及び図９を参照して説明した動作、即ち、主電源２がオン状態にあるときに始まる制御回路５の動作を図１３のフローチャートを参照して説明する。
主電源２がオン状態にあるときは、ルーチンＳＴ２００において、パワーオフ要求のチェックと電圧Ｄ２のチェックを周期的に行う。この場合パワーオフ要求のチェック（ＳＴ２０３）と電圧Ｄ２のチェック（２０４）とを異なる周期で行っても良い。図示の例では、パワーオフ要求のチェックの周期（ＳＴ２０１のＴｏｆｃ）を、電圧Ｄ２のチェックの周期（ＳＴ２０２のＴｄ２ｃ）よりも短くしている。
【００９８】
パワーオフ要求のチェック（ＳＴ２０３）では、パワーオンオフ制御信号Ｄ８が入力されたか否かを判定し、入力されていれば、パワーオフ要求があったものと判断する。
パワーオフ要求があった場合には（ＳＴ２０３でＹＥＳ）、図９に示すように、パワーオフシーケンスを実行し（ＳＴ２１１）、パワーオフシーケンスが完了したら、パワーオフ制御状態に移行する（ＳＴ２１２）。
ステップＳＴ２０３でパワーオフ要求が無ければ、ステップＳＴ２０２に進む。
【００９９】
電圧Ｄ２のチェック（ＳＴ２０４）では、電圧Ｄ２を検出し、検出した電圧Ｄ２がＬ（閾値Ｖｔ未満）か否かの判定を行う。
電圧Ｄ２がＬであれば、図５に示すように、停電が発生したとの判定を行い（ＳＴ２２１）、「停電検出、復帰待機」の制御状態に移行する（ＳＴ２２２）。
ステップＳＴ２０４で電圧Ｄ２がＬでなければ、ステップＳＴ２０１に進む。
【０１００】
上記の実施の形態では、図１０、図１１を参照して説明したように、主電源２がオフ状態にあるときに、パワーオンを要求するパワーオンオフ制御信号Ｄ８が入力されると、主電源制御信号Ｄ５ａをＬにして、主電源２が立ち上がれば、パワーオン制御状態に移行し、主電源２が立ち上がらなければ、「停電検出、復帰待機」の制御状態に移行し、あるいは該状態を維持することとしているが、「主電源２がオフ状態」を「停電検出、復帰待機」の制御状態とパワーオフ制御状態とに分け、「停電検出、復帰待機」の制御状態において、パワーオンを要求するパワーオンオフ制御信号Ｄ８が入力された場合には、それを無視し、主電源制御信号Ｄ２をＬのままとし、「停電検出、復帰待機」の制御状態を継続することとしても良い。この場合、リセット禁止信号Ｄ５ｂの立ち上げも省略できる。
【０１０１】
実施の形態２．
図１４は、本発明の実施の形態２の電源供給装置を示す。
図１４に示す電源供給装置は、概して図１の電源供給装置と同じであるが、以下の点で異なる。即ち、リセットパルス生成回路３の出力端子がリセットパルス生成回路３の出力Ｓｒが制御回路５に入力されるように追加接続されている。即ち、リセットパルス生成回路３の出力はスイッチ回路４を介して制御回路５のリセット入力端子５ｒに入力されるのみならず、制御回路５のリセットパルス検出端子５ｓに直接入力されている。
【０１０２】
図１４のように構成した電源供給装置は、パワーオンを要求するパワーオンオフ制御信号Ｄ８の入力に応じて主電源制御信号Ｄ５ａをＬにしたときにリセットパルス生成回路３からリセットパルスＳｒが出力されるか否かに基づいて商用電源１が停電か否かの判定を行う。即ち、リセットパルスＳｒが出力されれば停電状態ではないと判定し、リセットパルスＳｒが出力されなければ停電状態であると判定する。
【０１０３】
具体的には、制御回路５は、図１０、図１１に示すように、パワーオンを要求するパワーオンオフ制御信号Ｄ８に応じて主電源制御信号Ｄ５ａをＬにした後、図１０に示すように、予め定められた時間ｔｅの範囲内にリセットパルスＳｒが発生した場合には、停電状態にはないと判定し、図１１に示すように、上記の時間ｔｅの範囲内にリセットパルスＳｒが発生しなかった場合には、停電状態にあると判定する。
【０１０４】
なお、主電源２の出力電圧Ｄ２が立ち上がった後、リセットパルスＳｒが立ち上がるまでに、リセットパルス生成回路３における動作遅延が無視できない場合には、上記の時間ｔｅを、実施の形態１の場合に比べて、上記の動作遅延の分だけ長くしても良い。
【０１０５】
また、リセットパルスＳｒの立ち上がりによって停電状態ではないと判定した後、リセットパルスＳｒの立下りとともにリセット禁止信号Ｄ５ｂをＨからＬに立ち下げるように制御しても良く、そのようにすることで、ユーザーがパワーオンを要求するパワーオンオフ制御信号Ｄ８を入力した後、本電源供給装置がパワーオン制御状態に移行するまでの時間（待ち時間）を自動的に短くすることができる。
【０１０６】
実施の形態３．
図１５は、本発明の実施の形態３の電源供給装置を示す。
図１５に示す電源供給装置は、概して図１の電源供給装置と同じであるが、以下の点で異なる。即ち、パワーオンオフ信号入力手段８とは別に外部情報回路９からの出力Ｄ９が制御回路５の外部情報端子５ｅに入力される。
【０１０７】
図１６は停電でない状態において、外部情報回路９の出力Ｄ９が変化したときの、実施の形態３の電源供給装置の各部の動作を示す。
【０１０８】
図１６では商用電源１は停電状態でないので、交流電圧Ｄ１が入力されている。期間Ｐｈにおいては、制御回路５はパワーオフ制御状態にある。
この状態において、パワーオンオフ制御信号Ｄ８が入力されてパワーオン制御状態になるまで(期間Ｐｉの処理)は、図１０と同様である。
【０１０９】
外部情報回路９は例えば温度センサーであり、検出温度がある閾値以上になるとＨの信号を出力し、検出温度が閾値よりも低くなるとＬの信号を出力する。例えば、制御回路５はパワーオン制御状態に至った後、外部情報回路９の出力Ｄ９を確認し、検出温度が閾値以上のときには負荷回路６の動作を停止させようとする。
【０１１０】
例えば、図１６においてパワーオン制御状態に至ったとき、ある温度以上（外部情報回路９の出力Ｄ９がＨ）か否かの判定を行う。
【０１１１】
検出温度が閾値以上であると判断されたとき（ｔ２１）は、主電源制御信号Ｄ５ａをＬからＨに立ち上げる。その結果主電源２の出力Ｄ２がＨからＬに立ち下がる（オフとなる）。
主電源２をオフにした結果、温度が低下して時刻ｔ２２において外部情報回路９の出力Ｄ９がＬになったとすると、このとき、制御回路５はパワーオンシーケンスを開始し、まずリセット禁止信号Ｄ５ｂをＬからＨに立ち上げたあと、主電源制御信号Ｄ５ａをＨからＬに立ち下げ、主電源２の出力Ｄ２をＬからＨに立ち上げ、その後パワーオン制御状態に移行する。
このように、パワーオンシーケンスを実行し、直流電圧有無判定（主電源２の出力Ｄ２がＨ、即ち閾値Ｖｔ以上か否かの判定）を実施し、直流電圧Ｄ２がＨであること、即ち閾値Ｖｔ以上であることを確認した上で、パワーオン制御状態に移行する。
このように、パワーオンシーケンスを実行することで動作を安定させることができる。
【０１１２】
このパワーオンシーケンスを実行した後に移行したパワーオン制御状態はパワーオンを要求するパワーオンオフ制御信号Ｄ８によるパワーオン制御状態と同じである。
【０１１３】
例えば、負荷回路６が空調回路である場合に、電源供給装置を図１５のように構成し、図１６のように動作させることとすれば、消費電力の低減に有効である。
【０１１４】
さらに図７と同様に、負荷回路６の主電源２の出力Ｄ２の入力側に第２のスイッチ回路１４を配置して、制御回路５が、外部情報回路９からの入力に対しては第２のスイッチ回路１４だけを制御するなどよりきめ細かい制御を実施するように構成することも可能である。
【０１１５】
実施の形態４．
図１７は、本発明の実施の形態４の映像表示装置を示す。図１７の実施の形態は、図１の電子機器が映像表示装置である場合に相当し、図１における負荷回路６が映像表示のための処理を行う回路で構成されており、映像信号ＶＤが負荷回路６に入力される。映像信号ＶＤは、静止画を表すものであっても良く、動画を表すものであっても良い。上記以外の点で図１７の実施の形態は図１の実施の形態と同じである。
【０１１６】
このように構成された映像表示装置はパワーオフ制御状態では主電源２はオフ状態になり、消費電力が抑制されるという効果がある。また、停電の発生中には装置を起動させようとして、余計な電力を必要とするような動作が抑制され、停電が解除された後に安定した状態で起動するように動作することが可能である。
【０１１７】
以上実施の形態４を図１に示す実施の形態１に対する変形として説明したが、同様の変形を、図１４に示す実施の形態２又は図１５に示す実施の形態３に対して加えることもできる。例えば、実施の形態２の図１４の負荷回路６が映像表示のための処理を行う回路で構成されており、映像信号ＶＤが負荷回路６に入力される構成であってもよい。
【０１１８】
また、図２、図４の変形は、図１の実施の形態１のみならず、図１４に示す実施の形態２、図１５に示す実施の形態３、図１７に示す実施の形態４に対して加えることもできる。
【符号の説明】
【０１１９】
１  商用電源、  ２  主電源、  ３  リセットパルス生成回路、  ４、１４  スイッチ回路、  ５  制御回路、  ６  負荷回路、  ７  蓄電回路、  ８  パワーオンオフ信号入力手段、  ９  外部情報回路、  ２１、２２、２３  接続線
【図１】
2014230379.tif 000003
【図２】
2014230379.tif 000004
【図３】
2014230379.tif 000005
【図４】
2014230379.tif 000006
【図５】
2014230379.tif 000007
【図６】
2014230379.tif 000008
【図７】
2014230379.tif 000009
【図８】
2014230379.tif 000010
【図９】
2014230379.tif 000011
【図１０】
2014230379.tif 000012
【図１１】
2014230379.tif 000013
【図１２】
2014230379.tif 000014
【図１３】
2014230379.tif 000015
【図１４】
2014230379.tif 000016
【図１５】
2014230379.tif 000017
【図１６】
2014230379.tif 000018
【図１７】
2014230379.tif 000019